(57)【要約】【課題】顧客が端末装置を使用して所定のサービスを受けるための予約を申し込む際に、端末装置においてパスワードを入力する等の顧客自身を特定する手続きを経ることなく、前回受けたサービスと同一内用のサービスを受けることの予約を極めて簡単に行うことができる、各種のサービスの予約システムを提供する。【解決手段】本発明は、各種のサービスを提供する側の予約管理サーバーにより運営される各種のサービスの予約システムにおいて、予約管理サーバーは、顧客毎に作成した複数の予約受付メールアドレスを管理している顧客管理エリアを備えている。また、予約管理サーバーは、顧客管理エリアにおいて管理している顧客毎に作成した予約受付メールアドレスに付随して、顧客の氏名・住所・連絡先・過去に提供したサービスの内容等を管理している顧客情報管理エリアを備えている。さらに、予約管理サーバーは、各種のサービスの予約情報を管理している予約情報管理エリアを備えている。【選択図】図１
2011108026.tif 000002
【特許請求の範囲】
【請求項１】
各種のサービスを提供する側の予約管理サーバーにより運営される各種のサービスの予約システムにおいて、予約管理サーバーは、顧客毎に作成した複数の予約受付メールアドレスを管理している顧客管理エリアを備えていることを特徴とした各種のサービスの予約システム。
【請求項２】
顧客側端末装置と、各種のサービスを提供する側の予約管理サーバーと、サービスの提供側端末装置が、ネットワークを介して存在している各種のサービスの予約システムにおいて、予約管理サーバーは、顧客毎に作成した複数の予約受付メールアドレスを管理している顧客管理エリアを備えていることを特徴とした各種のサービスの予約システム。
【請求項３】
予約管理サーバーは、顧客管理エリアにおいて管理している顧客毎に作成した予約受付メールアドレスに付随して、顧客の氏名・住所・連絡先・過去に提供したサービスの内容等を管理している顧客情報管理エリアを備えている請求項１または２に記載の各種のサービスの予約システム。
【請求項４】
予約管理サーバーは、各種のサービスの予約情報を管理している予約情報管理エリアを備えている請求項１または２に記載の各種のサービスの予約システム。
【請求項５】
顧客の求めるサービスは、過去に提供を受けたサービスと同一内容のサービスである請求項１または２に記載の各種のサービスの予約システム。
【請求項６】
顧客は、顧客側端末装置を使用して、予約管理サーバーの顧客管理エリアに保存されている自分専用の予約受付メールアドレスに、最低限必要な情報を送信する請求項１または２に記載の各種のサービスの予約システム。
【請求項７】
顧客が、顧客側端末装置を使用して、予約管理サーバーの顧客管理エリアに保存されている自分専用の予約受付メールアドレスに、最低限必要な情報を送信して各種のサービスを受けるための予約を行うと、その予約情報がサービスの提供側端末装置に送信される請求項１または２に記載の各種のサービスの予約システム。
【請求項８】
予約管理サーバーは、顧客が顧客側端末装置を使用して予約管理サーバーに情報を送信し、各種のサービスを受けるための予約を初めて行った時に、当該顧客の予約受付メールアドレスを自動的に作成する予約受付メールアドレスの自動作成機構を備えている請求項１または２に記載の各種のサービスの予約システム。
【請求項９】
予約管理サーバーにおける予約受付メールアドレスの自動作成機構により自動的に作成された顧客の予約受付メールアドレスは、予約を行った顧客の顧客側端末装置に送信される請求項８に記載の各種のサービスの予約システム。
【請求項１０】
各種のサービスは、ホテル・旅館等における宿泊である請求項１乃至９のいずれかに記載の各種のサービスの予約システム。
【発明の詳細な説明】
【技術分野】
【０００１】
本発明は、顧客が端末装置を使用して所定のサービスを受けるための予約を申し込む際に、端末装置においてパスワードを入力する等の顧客自身を特定する手続きを経ることなく、前回受けたサービスと同一内用のサービスを受けることの予約を極めて簡単に行うことができる、各種のサービスの予約システムに関するものである。
【背景技術】
【０００２】
従来より、顧客が使用するパーソナルコンピュータ等の端末装置を使用して、顧客が所定のサービスを受けるための予約を行う種々のシステムが提案されている。
【０００３】
例えば、顧客がホテルや旅館等における宿泊の予約を行うとき、顧客が使用する端末装置をインターネット通信網に接続し、宿泊を希望するホテルの予約ホームページを開いて、宿泊の予約を行うことができる種々のホテルの予約システムが提案されている。
【０００４】
このホテルの予約システムを利用する際には、まず、宿泊の申し込みを行う者が、インターネット通信網に接続できる端末装置を使用して希望するホテルの予約ホームページを開き、ホテルのホストコンピュータにアクセスする。
【０００５】
そして、宿泊の申し込みを行う者の氏名、住所、電話番号、メールアドレス、パスワード等の所定事項を入力して、一般的な利用会員の登録を行う。
【０００６】
次に、端末装置のディスプレイに表示されている、例えば、宿泊を希望する日、宿泊する人数等の質問項目に必要事項を入力して、「検索」ボタンをクリックする。
【０００７】
すると、ホストコンピュータは、該当する条件に合致した宿泊プランがあるか否かを判断し、宿泊プランがある場合には、宿泊プランの全てを宿泊の申し込みを行っている者の端末装置のディスプレイに表示させる。
【０００８】
この宿泊プランとしては、例えば、シングルベッドタイプ、ツインベッドタイプ、ダブルベッドタイプ、喫煙可能であるタイプ、喫煙不可能であるタイプ、朝食が付いているタイプ、朝食が付いていないタイプ等の複数のプランが表示されるのである。
【０００９】
次に、宿泊の申し込みを行う者は、ディスプレイに表示されている宿泊プランの中から好ましいプランを選択し、該当する宿泊プランの「予約」ボタンをクリックする。
【００１０】
すると、ホストコンピュータは、宿泊の申し込みを行った者の端末装置のディスプレイに、選択した宿泊プランの内容だけを表示させる。このとき、利用会員の登録データの一部である、例えば、メールアドレスとパスワードを、質問項目として問い合わせることが多い。
【００１１】
その為、宿泊の申し込みを行う者は、この質問項目であるメールアドレスとパスワードを入力して、「次へ」ボタンをクリックする。
【００１２】
すると、選択した宿泊プランの内容と、利用会員の登録データが宿泊の申し込みを行った者の端末装置のディスプレイに表示される。宿泊の申し込みを行う者は、この内容を確認し、宿泊の予約を確定するときは、「同意する」ボタンをクリックする。
【００１３】
すると、宿泊の申し込みを行った者の端末装置のディスプレイに、確定した予約番号、宿泊プランの内容、利用会員の登録データが表示される。
【００１４】
また、同一の内容である確定した予約番号、宿泊プランの内容、利用会員の登録データが、宿泊の申し込みを行った者の端末装置に、メールとして送付されることもある。
【００１５】
宿泊の申し込みを行った者は、この確定した予約番号、宿泊プランの内容、利用会員の登録データを印刷し、予約の控えとして保管しておく。
【００１６】
一方、予約を受け付けたホテルの端末装置にも、確定した予約番号、宿泊プランの内容、利用会員の登録データが電子メールとして送付される。
【００１７】
そして、宿泊の申し込みを行った者は、予約の確定しているホテルに当日に出向いて、フロントで自分の名前と確定した予約番号を告げることで、ホテルに既に到着しているデータと照合され、間違いがなければホテルにチェックインすることができるのである。
【先行技術文献】
【特許文献】
【００１８】
【特許文献１】特になし
【発明の概要】
【発明が解決しようとする課題】
【００１９】
このように、宿泊の申し込みを行う者は、自らの端末装置を使用してホテル等の宿泊の予約を行うことができるのであるが、例えば、ビジネスを目的とする宿泊で、比較的に頻繁に同一のホテルを利用している者等においては、前回宿泊したときと同じ条件の部屋に宿泊したいと希望することが多い。
【００２０】
このような者にとっては、自らの端末装置を使用して宿泊の申し込みを行う際に、ディスプレイに表示されている複数の宿泊プランの中から希望する宿泊プランを選択する作業でさえ、非常に面倒であると感じてしまうことがある。
【００２１】
また、宿泊の申し込みを行う際に、宿泊を希望する日、宿泊する人数等を入力することに加えて、シングルベッドタイプ、ツインベッドタイプ、ダブルベッドタイプ、喫煙可能であるタイプ、喫煙不可能であるタイプ、朝食が付いているタイプ、朝食が付いていないタイプ等について、宿泊の申し込みを行う者が積極的に入力する手法もあるが、頻繁に同一のホテルを利用している者等において、このような作業を行うことは、より一層面倒なものとなる。
【００２２】
この他、登録しているパスワードを失念してしまった場合、所定の手続きを経てパスワードを再発行してもらう必要があるが、このような作業も非常に面倒である。
【００２３】
また、外出先において他人の端末装置を使用して宿泊の申し込みを行っている場合等には、その場においてパスワードの再発行を受けることができないこともあり、宿泊の予約を行うことができない事態も生じていた。
【００２４】
そこで、本発明は如上のような従来存した諸事情に鑑み創出されたもので、顧客が端末装置を使用して所定のサービスを受けるための予約を申し込む際に、端末装置においてパスワードを入力する等の顧客自身を特定する手続きを経ることなく、前回受けたサービスと同一内用のサービスを受けることの予約を極めて簡単に行うことができる、各種のサービスの予約システムを提供することを目的とする。
【課題を解決するための手段】
【００２５】
本発明は、各種のサービスを提供する側の予約管理サーバーにより運営される各種のサービスの予約システムにおいて、予約管理サーバーは、顧客毎に作成した複数の予約受付メールアドレスを管理している顧客管理エリアを備えていることで、上述した課題を解決した。
【００２６】
また、本発明は、顧客側端末装置と、各種のサービスを提供する側の予約管理サーバーと、サービスの提供側端末装置が、ネットワークを介して存在している各種のサービスの予約システムにおいて、予約管理サーバーは、顧客毎に作成した複数の予約受付メールアドレスを管理している顧客管理エリアを備えていることで、同じく上述した課題を解決した。
【００２７】
さらに、予約管理サーバーは、顧客管理エリアにおいて管理している顧客毎に作成した予約受付メールアドレスに付随して、顧客の氏名・住所・連絡先・過去に提供したサービスの内容等を管理している顧客情報管理エリアを備えていることで、同じく上述した課題を解決した。
【００２８】
また、予約管理サーバーは、各種のサービスの予約情報を管理している予約情報管理エリアを備えていることで、同じく上述した課題を解決した。
【００２９】
加えて、顧客の求めるサービスは、過去に提供を受けたサービスと同一内容のサービスであることで、同じく上述した課題を解決した。
【００３０】
また、顧客は、顧客側端末装置を使用して、予約管理サーバーの顧客管理エリアに保存されている自分専用の予約受付メールアドレスに、最低限必要な情報を送信することで、同じく上述した課題を解決した。
【００３１】
この他、顧客が、顧客側端末装置を使用して、予約管理サーバーの顧客管理エリアに保存されている自分専用の予約受付メールアドレスに、最低限必要な情報を送信して各種のサービスを受けるための予約を行うと、その予約情報がサービスの提供側端末装置に送信されることで、同じく上述した課題を解決した。
【００３２】
また、予約管理サーバーは、顧客が顧客側端末装置を使用して予約管理サーバーに情報を送信し、各種のサービスを受けるための予約を初めて行った時に、当該顧客の予約受付メールアドレスを自動的に作成する予約受付メールアドレスの自動作成機構を備えていることで、同じく上述した課題を解決した。
【００３３】
さらに、予約管理サーバーにおける予約受付メールアドレスの自動作成機構により自動的に作成された顧客の予約受付メールアドレスは、予約を行った顧客の顧客側端末装置に送信されることで、同じく上述した課題を解決した。
【００３４】
また、各種のサービスは、ホテル・旅館等における宿泊であることで、同じく上述した課題を解決した。
【発明の効果】
【００３５】
本発明は、各種のサービスを提供する側の予約管理サーバーにより運営される各種のサービスの予約システムにおいて、予約管理サーバーは、顧客毎に作成した複数の予約受付メールアドレスを管理している顧客管理エリアを備えていることから、顧客は、予約管理サーバーの顧客管理エリアに存在する自分専用の予約受付メールアドレスに必要な情報を送信するだけで、所定のサービスの予約を申し込むことができる。
【００３６】
また、本発明は、顧客側端末装置と、各種のサービスを提供する側の予約管理サーバーと、サービスの提供側端末装置が、ネットワークを介して存在している各種のサービスの予約システムにおいて、予約管理サーバーは、顧客毎に作成した複数の予約受付メールアドレスを管理している顧客管理エリアを備えていることから、顧客は、顧客側端末装置を使用して、予約管理サーバーの顧客管理エリアに存在する自分専用の予約受付メールアドレスに、必要な情報を簡単に送信することができる。
【００３７】
さらに、予約管理サーバーは、顧客管理エリアにおいて管理している顧客毎に作成した予約受付メールアドレスに付随して、顧客の氏名・住所・連絡先・過去に提供したサービスの内容等を管理している顧客情報管理エリアを備えていることから、顧客が予約の申し込みを行う際に、顧客自身の氏名・住所・連絡先等を入力する必要も無い。
【００３８】
また、顧客毎に作成した予約受付メールアドレスに付随して顧客情報が管理されていることから、特定の予約受付メールアドレス毎に、特定の顧客情報を認識することができる。
【００３９】
加えて、この予約受付メールアドレスが、当該顧客のためだけに使用されることから、パスワードを入力する等の顧客自身を特定する手続きを経る必要も無い。
【００４０】
また、予約管理サーバーは、各種のサービスの予約情報を管理している予約情報管理エリアを備えていることから、顧客の求めるサービスを提供できるか否かを、この予約情報と照合して的確に判断することができる。
【００４１】
この他、顧客の求めるサービスは、過去に提供を受けたサービスと同一内容のサービスであることから、予約時に、顧客の求めるサービスの内容について、顧客が改めて意思表示をする必要がない。
【００４２】
その為、顧客は、サービスの提供を受けたい日時等の最低限必要な情報だけを入力して、自分専用の予約受付メールアドレスに送信すれば足りることとなり、予約の申し込みを迅速且つ簡単に行うことができる。
【００４３】
そして、顧客は、顧客側端末装置を使用して、予約管理サーバーの顧客管理エリアに保存されている自分専用の予約受付メールアドレスに、最低限必要な情報を送信するだけで、過去に提供を受けたサービスと同一内容のサービスについての予約を簡単に行うことができる。
【００４４】
また、サービスの提供側においては、特定の顧客専用の予約受付メールアドレスにおいて必要な情報を受信するだけで、当該顧客の氏名・住所・連絡先・過去に提供したサービスの内容等を認識できるため、顧客の管理が極めて容易になる。
【００４５】
そして、予約管理サーバーにおいては、申し込みのあった顧客の予約受付メールアドレスと、顧客情報（氏名・住所・連絡先・過去に提供したサービスの内容等）を自動的に照合する。同時に、予約管理サーバーにおいては、顧客が希望した日時に顧客の求めるサービス（過去に提供を受けたサービスと同一内容のサービス）を提供できるか否かを、所定の予約情報と照合して判断する。
【００４６】
この様に、顧客の管理と、予約の受付についての手続きを予約管理サーバーにおいて全て自動的に行うことができる。
【００４７】
加えて、顧客が、顧客側端末装置を使用して、予約管理サーバーの顧客管理エリアに保存されている自分専用の予約受付メールアドレスに、最低限必要な情報を送信して各種のサービスを受けるための予約を行うと、その予約情報がサービスの提供側端末装置に送信されることから、サービスの提供側において、そのサービスを確実に実行することができる。
【００４８】
また、予約管理サーバーは、顧客が顧客側端末装置を使用して予約管理サーバーに情報を送信し、各種のサービスを受けるための予約を初めて行った時に、当該顧客の予約受付メールアドレスを自動的に作成する予約受付メールアドレスの自動作成機構を備えていることから、予約受付メールアドレスを顧客毎に容易に作成し、これを管理することができる。
【００４９】
この他、予約管理サーバーにおける予約受付メールアドレスの自動作成機構により自動的に作成された顧客の予約受付メールアドレスは、予約を行った顧客の顧客側端末装置に送信されることから、以後の予約を行う顧客は、顧客側端末装置を使用して、自分専用の予約受付メールアドレスに、必要な情報を簡単に送信することができる。
【００５０】
そして、各種のサービスが、例えば、ホテル・旅館等における宿泊であるときには、その宿泊の予約を簡単に行うことができる。
【００５１】
具体的には、顧客が宿泊を希望する日等の最低限必要な情報を入力して、自分専用である顧客の予約受付メールアドレスに送信する。このとき、顧客の求めるサービスは、過去に提供を受けた宿泊と同一内容の宿泊（例えば、１人の宿泊、シングルベッドタイプ、喫煙可能であるタイプ、朝食が付いているタイプ等）であることから、その宿泊の内容を顧客が改めて意思表示する必要は無い。
【００５２】
また、予約管理サーバーにおいては、特定の顧客専用の予約受付メールアドレスにおいて必要な情報を受信すると、当該顧客の予約受付メールアドレスに付随して、顧客の氏名・住所・連絡先・過去に提供したサービスの内容等を、顧客情報として管理していることから、顧客は、情報の送信時に自身の氏名・住所・連絡先等を入力する必要も無い。さらに、この予約受付メールアドレスが、当該顧客のためだけに使用されることから、パスワードを入力する等の、顧客自身を特定する手続きを経る必要も無い。
【００５３】
加えて、自分専用である顧客の予約受付メールアドレスに情報を送信するだけであることから、その情報を送信する機器としては、パーソナルコンピュータ、携帯電話、その他の情報の送信機能を有する全ての機器を利用して、宿泊の予約を簡単に行うことができる。
【００５４】
この様に、本発明に係る予約システムによれば、例えば、宿泊の予約を誰もが継続して簡単に行うことができるのである。
【図面の簡単な説明】
【００５５】
【図１】各種のサービスの予約システムにおける概略の構成を示す説明図である。
【図２】各種のサービスが、ホテルの宿泊である場合の予約システムにおける概略の構成を示す説明図である。
【図３】予約受付メールアドレスの自動作成機構において、顧客の予約受付メールアドレスを作成する過程を示すフローチャートである。
【発明を実施するための形態】
【００５６】
以下に、図面を参照して、本発明を実施するための形態を詳細に説明する。
【００５７】
本発明に係る各種のサービスの予約システムは、各種のサービスを提供する側の予約管理サーバー１により運営されるものである。本発明においては、この予約管理サーバー１において、顧客毎に作成した複数の予約受付メールアドレスを管理していることに特徴を有している。
【００５８】
ここで、所定のサービスとは、例えば、ホテル・旅館等における宿泊、美容室における各種の美容、レストラン等における飲食物の提供、旅行の実施、技芸・スポーツの教授、知識の教授、各種の医業、その他のサービス等の全てを包含するものである。
【００５９】
各種のサービスを受けるための予約を行う顧客ａ、ｂ、…ｚは、図１に示すように、インターネット通信網に接続できる顧客側端末装置２ａ、２ｂ、…２ｚを使用して、予約管理サーバー１において管理されている自分専用である顧客の予約受付メールアドレスに、最低限必要な情報を送信する。
【００６０】
所定のサービスを提供する側の予約管理サーバー１は、一般的に、中央演算処理装置、データ記憶装置、データ記録装置３、通信制御部、表示部等を備えている。
【００６１】
この予約管理サーバー１は、図１に示すように、顧客ａ、ｂ、…ｚ毎に作成した複数の予約受付メールアドレスを管理する手段として、データ記録装置３内に顧客管理エリア４を備えている。顧客管理エリア４は、顧客ａ、ｂ、…ｚ毎に作成した複数の予約受付メールアドレスを個別に保存することにより、顧客ａ、ｂ、…ｚ毎の予約受付メールアドレスを管理しているのである。
【００６２】
また、データ記録装置３は、顧客情報管理エリア５を備えている。この顧客情報管理エリア５においては、顧客管理エリア４において管理している顧客ａ、ｂ、…ｚ毎に作成した予約受付メールアドレスに付随して、顧客ａ、ｂ、…ｚの氏名・住所・連絡先・過去に提供したサービスの内容等を、顧客情報として顧客ａ、ｂ、…ｚ毎に管理している。
【００６３】
さらに、データ記録装置３は、予約情報管理エリア６を備えている。この予約情報管理エリア６においては、現状における所定のサービスの予約状況を、予約情報として管理している。
【００６４】
そして、顧客ａ、ｂ、…ｚは、図１に示すように、顧客側端末装置２ａ、２ｂ、…２ｚを使用して、データ記録装置３における顧客管理エリア４に保存されている自分専用の予約受付メールアドレスに、最低限必要な情報を送信する。
【００６５】
例えば、顧客ａは、顧客側端末装置２ａを使用して、データ記録装置３における顧客管理エリア４に保存されている、自分専用である顧客ａの予約受付メールアドレスに、最低限必要な情報を送信する。
【００６６】
具体的には、顧客ａが所定のサービスを受けることを希望する日時等の最低限必要な情報を入力して、自分専用である顧客ａの予約受付メールアドレスにその情報を送信する。このとき、顧客ａの求めるサービスは、過去に提供を受けたサービスと同一内容のサービスであることを基本としている。
【００６７】
その為、そのサービスの内容を、顧客ａが改めて意思表示する必要は無い。
【００６８】
また、顧客ａが、自分専用である顧客ａの予約受付メールアドレスに情報を送信すると、予約管理サーバー１の顧客情報管理エリア５において、顧客ａの予約受付メールアドレスに付随して、顧客ａの氏名・住所・連絡先・過去に提供したサービスの内容等を、顧客情報として管理していることから、顧客ａは、自分の氏名・住所・連絡先等を入力する必要も無い。さらに、この予約受付メールアドレスが、顧客ａのためだけに使用されることから、パスワードを入力する等の顧客ａ自身を特定する手続きを経る必要も無い。
【００６９】
さらに、中央演算処理装置は、顧客管理エリア４において情報を受信した顧客ａの予約受付メールアドレスと、顧客情報管理エリア５における顧客情報（顧客ａの氏名・住所・連絡先・過去に提供したサービスの内容等）を照合する。同時に、中央演算処理装置は、顧客ａが希望した日時に顧客ａの求めるサービス（過去に提供を受けたサービスと同一内容のサービス）を提供できるか否かを、予約情報管理エリア６における予約情報と照合して判断する。
【００７０】
そして、顧客ａが希望した日時に顧客が求めるサービス（過去に提供したサービスと同一内容のサービス）を提供可能なときは、過去に提供したサービスと同一内容のサービスで予約を受け付けた旨のメールを、顧客側端末装置２ａに送信する。
【００７１】
同時に、その予約情報は、顧客ａの氏名・住所・連絡先・過去に提供したサービスの内容（今回提供するサービスの内容）等と共に、サービスの提供側端末装置７に送信される。
【００７２】
顧客ａが希望した日時に顧客が求めるサービス（過去に提供したサービスと同一内容のサービス）を提供できないときは、予約不可能である旨のメールを、顧客側端末装置２ａに送信する。
【００７３】
この他、予約管理サーバー１は、図１に示すように、予約受付メールアドレスの自動作成機構８を備えている。
【００７４】
その為、顧客ａが顧客側端末装置２ａを使用し、氏名・住所・連絡先・提供を受けたいサービスの内容とその日時等を入力して、所定の予約ホームページ等を介した一般的な手法により予約管理サーバー１に情報を送信し、各種のサービスを受けるための予約を初めて行った場合には、その時点で、予約管理サーバー１における予約受付メールアドレスの自動作成機構８により、当該顧客ａの予約受付メールアドレスが作成される。この顧客ａの予約受付メールアドレスは、データ記録装置３における顧客管理エリア４に保存される。
【００７５】
さらに、新たに作成した当該顧客ａの予約受付メールアドレスは、メールとして、当該顧客ａの顧客側端末装置２ａに送信される。
【００７６】
その為、当該顧客ａがそれ以降の予約を行うときは、予約ホームページ等を介するのではなく、自分専用である顧客ａの予約受付メールアドレスに情報を送信するのである。
【００７７】
尚、図１に示す所定のサービスの予約システムは、予約管理サーバー１におけるデータ記録装置３において、顧客ａ、ｂ、…ｚ毎に作成した複数の予約受付メールアドレス、顧客情報、予約情報を一括して管理しているが、このような構成に限定されることは無い。
【００７８】
例えば、所定のサービスを提供する側の予約管理サーバー１と、顧客ａ、ｂ、…ｚ毎に作成した複数の予約受付メールアドレスと顧客情報を管理する顧客管理サーバーと、予約情報を管理する予約情報管理サーバーにより、予約システムを構成するものであっても良い。
【００７９】
以下に、本システムで取り扱う各種のサービスが、ホテルにおける宿泊である場合を想定して、本システムの具体的な内容を詳述する。
【００８０】
ホテルにおける宿泊の予約を行う顧客は、図２に示すように、インターネット通信網に接続できる顧客側端末装置２０ａ、２０ｂ、…２０ｚを使用して、ホテル側の予約管理サーバー１０に情報を送信する。
【００８１】
ホテル側の予約管理サーバー１０は、一般的に、中央演算処理装置、データ記憶装置、データ記録装置３０、通信制御部、表示部等を備えている。
【００８２】
この予約管理サーバー１０は、図２に示すように、顧客ａ、ｂ、…ｚ毎に作成した複数の予約受付メールアドレスを管理する手段として、データ記録装置３０内に顧客管理エリア４０を備えている。顧客管理エリア４０は、顧客ａ、ｂ、…ｚ毎に作成した複数の予約受付メールアドレスを個別に保存することにより、顧客ａ、ｂ、…ｚ毎の予約受付メールアドレスを管理しているのである。
【００８３】
また、データ記録装置３０は、顧客情報管理エリア５０を備えている。この顧客情報管理エリア５０においては、顧客管理エリア４０において管理している顧客ａ、ｂ、…ｚ毎に作成した予約受付メールアドレスに付随して、顧客ａ、ｂ、…ｚの氏名・住所・連絡先・過去に提供したサービスの内容等を、顧客情報として顧客ａ、ｂ、…ｚ毎に管理している。
【００８４】
さらに、データ記録装置３０は、予約情報管理エリア６０を備えている。この予約情報管理エリア６０においては、現状におけるホテルの宿泊の予約状況を、予約情報として管理している。
【００８５】
そして、顧客ａ、ｂ、…ｚは、図２に示すように、顧客側端末装置２０ａ、２０ｂ、…２０ｚを使用して、データ記録装置３０における顧客管理エリア４０に保存されている自分専用の予約受付メールアドレスに、最低限必要な情報を送信する。
【００８６】
例えば、顧客ａは、顧客側端末装置２０ａを使用して、データ記録装置３０における顧客管理エリア４０に保存されている、自分専用である顧客ａの予約受付メールアドレスに、最低限必要な情報を送信する。
【００８７】
具体的には、顧客ａが宿泊を希望する日等の最低限必要な情報を入力して、自分専用である顧客ａの予約受付メールアドレスにその情報を送信する。このとき、顧客ａの求めるサービスは、過去に提供を受けた宿泊と同一内容の宿泊（例えば、１人の宿泊、シングルベッドタイプ、喫煙可能であるタイプ、朝食が付いているタイプ等）であることを基本としている。
【００８８】
その為、その宿泊の内容を、顧客ａが改めて意思表示する必要は無い。
【００８９】
また、顧客ａが、自分専用である顧客ａの予約受付メールアドレスに情報を送信すると、予約管理サーバー１０において、顧客ａの予約受付メールアドレスに付随して、顧客ａの氏名・住所・連絡先・過去に提供したサービスの内容等を、顧客情報として管理していることから、顧客ａは、自分の氏名・住所・連絡先等を入力する必要も無い。さらに、この予約受付メールアドレスが、顧客ａのためだけに使用されることから、パスワードを入力する等の顧客ａ自身を特定する手続きを経る必要も無い。
【００９０】
さらに、中央演算処理装置は、顧客管理エリア４０において情報を受信した顧客ａの予約受付メールアドレスと、顧客情報管理エリア５０における顧客情報（顧客ａの氏名・住所・連絡先・過去に提供したサービスの内容…例えば、１人の宿泊、シングルベッドタイプ、喫煙可能であるタイプ、朝食が付いているタイプ等）を照合する。同時に、中央演算処理装置は、顧客ａが希望した日に顧客の求めるサービス（１人の宿泊、シングルベッドタイプ、喫煙可能であるタイプ、朝食が付いているタイプ等）を提供できるか否かを、予約情報管理エリア６０における予約情報と照合して判断する。
【００９１】
そして、顧客ａが希望した日に顧客の求めるサービス（１人の宿泊、シングルベッドタイプ、喫煙可能であるタイプ、朝食が付いているタイプ等）を提供可能なときは、過去に提供した宿泊と同一内容の宿泊で予約を受け付けた旨のメールを、顧客側端末装置２０ａに送信する。
【００９２】
同時に、その予約情報は、顧客ａの氏名・住所・連絡先・過去に提供したサービスの内容（今回提供するサービス…１人の宿泊、シングルベッドタイプ、喫煙可能であるタイプ、朝食が付いているタイプ等）と共に、ホテル側端末装置７０に送信される。
【００９３】
顧客ａが希望した日に顧客の求めるサービス（１人の宿泊、シングルベッドタイプ、喫煙可能であるタイプ、朝食が付いているタイプ等）を提供できないときは、例えば、グレードアップしたダブルベッドタイプの部屋で顧客の求めるサービス（１人の宿泊、喫煙可能であるタイプ、朝食が付いているタイプ等）を提供できるか否かを、予約情報と照合して判断する。
【００９４】
そして、顧客ａが希望した日に顧客の求めるサービス（１人の宿泊、喫煙可能であるタイプ、朝食が付いているタイプ等）を提供可能なときは、過去に提供した宿泊と同一内容の宿泊で予約を受け付けた旨のメールを、顧客側端末装置２０ａに送信する。
【００９５】
勿論、この場合の宿泊料金は、前回の宿泊時と同様である。
【００９６】
尚、満室である等の、如何なるグレードアップを行っても顧客の求めるサービスを提供できない場合にのみ、予約不可能である旨のメールを、顧客側端末装置２０ａに送信する。
【００９７】
この他、予約管理サーバー１０は、図２に示すように、予約受付メールアドレスの自動作成機構８０を備えている。
【００９８】
この予約受付メールアドレスの自動作成機構８０は、顧客ａが宿泊のサービスを受けるための予約を初めて行った時に、当該顧客ａの予約受付メールアドレスを作成する機能を備えている。
【００９９】
その為、顧客ａが顧客側端末装置２０ａを使用し、氏名・住所・連絡先・提供を受けたい宿泊の内容とその日等を入力して、所定の予約ホームページ等を介した一般的な手法により予約管理サーバー１０に情報を送信し、ホテルにおける宿泊の予約を初めて行った場合には、その時点で、予約管理サーバー１０における予約受付メールアドレスの自動作成機構８０により、当該顧客ａの予約受付メールアドレスが作成される。
【０１００】
この顧客ａの予約受付メールアドレスの具体的なものとしては、例えば、「苗字・識別子＠ｈｏｔｅｌ．ｃｏｍ」という形式で作成する。
【０１０１】
例えば、図３に示すように、顧客である「佐藤」氏が宿泊の予約を初めて行った場合には、予約受付メールアドレスの自動作成機構８０により、「佐藤＠ｈｏｔｅｌ．ｃｏｍ」という「佐藤」氏の予約受付メールアドレスを仮作成する。
【０１０２】
次に、仮作成した「佐藤＠ｈｏｔｅｌ．ｃｏｍ」と、顧客管理エリア４０に保存されている顧客毎に作成した複数の予約受付メールアドレスを照合する。
【０１０３】
そして、顧客管理エリア４０に同一のアドレスが存在しない場合、「佐藤＠ｈｏｔｅｌ．ｃｏｍ」のアドレスを確定し、顧客管理エリア４０に保存する。
【０１０４】
また、顧客管理エリア４０に同一のアドレスが存在する場合は、「佐藤＠ｈｏｔｅｌ．ｃｏｍ」における「佐藤」の後に識別子として、例えば、電話番号の下４桁を入れて、「佐藤・1234＠ｈｏｔｅｌ．ｃｏｍ」のアドレスを仮作成する。
【０１０５】
次に、仮作成した「佐藤・1234＠ｈｏｔｅｌ．ｃｏｍ」と、顧客管理エリア４０に保存されている顧客毎に作成した複数の予約受付メールアドレスを再照合する。
【０１０６】
そして、顧客管理エリア４０に同一のアドレスが存在しない場合、「佐藤・1234＠ｈｏｔｅｌ．ｃｏｍ」のアドレスを確定し、顧客管理エリア４０に保存する。
【０１０７】
このようにして、新たに作成した、「佐藤・1234＠ｈｏｔｅｌ．ｃｏｍ」という「佐藤」氏の予約受付メールアドレスは、メールとして、当該「佐藤」氏の顧客側端末装置２０に送信される。
【０１０８】
その為、「佐藤」氏がそれ以降の予約を行うときは、予約ホームページ等を介するのではなく、自分専用である「佐藤・1234＠ｈｏｔｅｌ．ｃｏｍ」のアドレスに、情報を送信するのである。
【０１０９】
尚、顧客の予約受付メールアドレスは、「苗字・識別子＠ｈｏｔｅｌ．ｃｏｍ」に限定されることは無く、どのような形式のものであっても良い。また、「苗字・第１識別子・第２識別子＠ｈｏｔｅｌ．ｃｏｍ」のように、複数の識別子を介在させても良い。
【０１１０】
この他、本発明は、前記した実施の形態に限定されるものではなく、本発明の目的を達成できる範囲での改良・変形等は、本発明に全て包含されるものである。
【産業上の利用可能性】
【０１１１】
本発明は、例えば、ホテル・旅館等における宿泊、美容室における各種の美容、レストラン等における飲食物の提供、旅行の実施、技芸・スポーツの教授、知識の教授、各種の医業、その他のサービス等の提供を受けるための予約システムとして、幅広く利用することができる。
【符号の説明】
【０１１２】
１…予約管理サーバー
ａ、ｂ、…ｚ…顧客
２ａ、２ｂ、…２ｚ…顧客側端末装置
３…データ記録装置
４…顧客管理エリア
５…顧客情報管理エリア
６…予約情報管理エリア
７…サービスの提供側端末装置
８…予約受付メールアドレスの自動作成機構
１０…ホテル側の予約管理サーバー
２０ａ、２０ｂ、…２０ｚ…顧客側端末装置
３０…データ記録装置
４０…顧客管理エリア
５０…顧客情報管理エリア
６０…予約情報管理エリア
７０…ホテル側端末装置
８０…予約受付メールアドレスの自動作成機構
【図１】
2011108026.tif 000003
【図２】
2011108026.tif 000004
【図３】
2011108026.tif 000005